(57)【要約】【課題】  画面の全体を用いて表示すべき映像を画面の一部のみを用いて表示させる場合であれ、これを簡易且つ的確に実現することのできる表示装置の駆動回路を提供する。【解決手段】  この駆動回路１０は、入力される映像信号に同期して表示装置２０の水平方向および垂直方向の各スキャナ２４，２６を駆動することにより表示装置２０の画面２２に画像の表示を行う。駆動回路１０は、部分画面表示モードが指令された場合、画面２２の全体に表示すべき画像を画面の一部の領域のみを用いて表示させるとともに画面２２の残りの領域にはブランク表示を行わせる。駆動回路１０はスキャン速度可変部１８を備えており、部分画面表示モードが指令されたとき、水平方向および垂直方向のスキャナ２４，２６によるスキャン速度をブランク表示を行うときにのみ選択的に高める。【選択図】      図１
2006154224.tif 000002
【特許請求の範囲】
【請求項１】
入力される映像信号に同期して表示装置の水平方向および垂直方向の各スキャナを駆動することにより表示装置の画面に画像の表示を行う表示装置の駆動回路において、
前記画面の全体に表示すべき画像を画面の一部の領域のみを用いて表示させるとともに同画面の残りの領域にはブランク表示を行わせる表示モードである部分画面表示モードが指令されることに基づいて前記水平方向および垂直方向のスキャナによるスキャン速度が前記ブランク表示を行うときにのみ選択的に高まるようにこれらスキャン速度を可変とするスキャン速度可変手段を備えることを特徴とする表示装置の駆動回路。
【請求項２】
前記画面の一部の領域のみを用いた画像の表示が、前記水平方向および垂直方向のスキャナの少なくとも一方に印加するクロックの所定周期毎の間引き処理として行われることを特徴とする請求項１に記載の表示装置の駆動回路。
【請求項３】
前記画面に前記ブランク表示を行うためのデータを生成する手段を更に備え、該生成されたデータを用いて前記ブランク表示を実行することを特徴とする請求項１または２に記載の表示装置の駆動回路。
【請求項４】
前記部分画面表示モードが、アスペクト比３対４の画面にアスペクト比９対１６にて前記画像を表示させるように指令する表示モードであり、前記スキャン速度可変手段は、該表示モードの指令に基づき、前記ブランク表示を行うときの前記水平方向および垂直方向のスキャナによるスキャン速度を前記画面の一部の領域に対する画像表示時のスキャン速度の１．５倍とすることを特徴とする請求項１〜３のいずれか一項に記載の表示装置の駆動回路。
【請求項５】
前記駆動の対象となる表示装置が、アクティブマトリクス表示方式を採用した液晶表示装置であることを特徴とする請求項１〜４のいずれか一項に記載の表示装置の駆動回路。
【発明の詳細な説明】
【技術分野】
【０００１】
本発明は、表示装置の画面に表示される画像のアスペクト比を可変として、入力される映像信号の表示を行う表示装置の駆動回路に関する。
【背景技術】
【０００２】
従来、この種の表示装置の駆動回路としては、例えば特許文献１に記載の回路が知られている。そして、この特許文献１に記載の回路も含めて、上記のようなアスペクト比の変更を行うには一般に、画像フレームメモリを用意し、映像信号の画像データをフレーム単位で画像フレームメモリに一旦取り込むとともに、その画像データを、上記画面の表示態様に合わせて再編成して表示装置に出力する方法が採用されている。ただし、このような画像フレームメモリや上記画像データの再編性のための画像処理回路を用いる場合には、自ずと製造コストの増大が避けられず、また、例えばデジタルスチルカメラやデジタルビデオカメラ等の携帯機器では、そもそも機器内にそれら画像フレームメモリや画像処理回路を搭載する余地すら無いことがある。
【０００３】
そこで近年は、上記画像フレームメモリを持たずに、入力された映像信号に同期して駆動することで映像表示を行う駆動回路なども検討されている。すなわちこの場合、スキャナの駆動は、映像信号に同期したスタート信号やクロック信号等の駆動信号を生成して出力するタイミングコントローラを備える駆動回路により行われる。そして、このような駆動回路の採用によって、上述した携帯機器等への搭載も容易となる。
【特許文献１】特開２００４−２４６２９３号公報
【発明の開示】
【発明が解決しようとする課題】
【０００４】
このように、表示装置の水平方向および垂直方向のスキャナを入力された映像信号に同期して駆動することで、上記画像フレームメモリ等を持たずとも、表示装置に対する同映像信号の表示は可能となる。ただしこの場合、画面内の一部に入力データの全体を表示させるためには、具体的にはアスペクト比３対４の画面に対するアスペクト比９対１６のワイド映像表示を実現するためには、画像の表示されない領域でのスキャナの駆動を上記入力される映像信号のブランキング期間内に行わなければならず、新たに次のような不都合を生じることとなっている。このことを図７および図８を参照して詳しく説明する。
【０００５】
ここでは２１８行×５２１列の画素配列を有するアスペクト比３対４の画面に、図７（ａ）に示すようなその全体を用いた全画面表示を行う場合と、図７（ｂ）に示すような画面の一部のみを用いたアスペクト比９対１６のワイド映像表示を行う場合とについて考える。
【０００６】
例えば上記入力される映像信号が国家テレビジョンシステム委員会の規格であるＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の映像信号であったとすると、その１回の垂直周期は２６２回の水平周期（２６２Ｈ）により構成され、その内の２１８Ｈが画像データとなっている。この場合、画面の画素行列が画像データの垂直周期の数と同じであるため、図７（ａ）に示されるような全画面表示時には、このＮＴＳＣ映像信号の画像データの各行をそのまま画面の各行に表示させることになる。
【０００７】
一方、図７（ｂ）に示すようなワイド映像表示には、画面の垂直方向両端の２７行ずつをブランク表示とし、本来画面全体に表示すべき画像をその垂直方向中央の１６４行のみを用いて表示させることになる。このときのアスペクト比９対１６の画像は、上記ＮＴＳＣ映像信号に含まれる２１８Ｈ分の画像データを４Ｈ中１Ｈの割合でライン間引きすることで表示させることができる。
【０００８】
ところが、上記ワイド映像表示を行わせるには、これに加え、更に画面垂直方向の両端に、２７Ｈずつ、合計で５４Ｈのブランク表示を行わせる必要がある。こうした駆動回路にあっては通常、上記画面表示には、図８（ａ）〜（ｃ）に示すように、映像データの入力に同期して随時、スキャン処理または上述したライン間引き処理のいずれかが行われる。このため、上記ワイド映像表示を行わせる場合も結局は、画像を全画面に表示するときと同じ２１８Ｈ分の期間が必要となる。ところが、これに、上記ブランク表示のための５４Ｈ分の期間を加えるとなると、図８（ｃ）に示すように、各垂直周期の画面表示に２７２Ｈ分の期間が必要となり、垂直周期の期間である２６２Ｈ内に収まらなくなってしまう。なお、ＰＡＬ（Ｐｈａｓｅ  Ａｌｔｅｒｎａｔｉｎｇ  Ｌｉｎｅ）方式の場合にも、その垂直周期や水平周期が上記ＮＴＳＣ方式の映像信号とは多少異なるとはいえ、やはり垂直周期中には上記ワイド映像表示時の全ての画像表示を終えることはできない。
【０００９】
また、例えばアスペクト比が９対１６の画面の水平方向両端部にブランク表示させつつ、水平方向中央部にアスペクト比３対４で映像を表示させる場合などにも、こうした不都合は同様に生じる。
【００１０】
本発明は、こうした実情に鑑みてなされたものであって、その解決しようとする課題は、画面の全体を用いて表示すべき映像を画面の一部のみを用いて表示させる場合であれ、これを簡易且つ的確に実現することのできる表示装置の駆動回路を提供することにある。
【課題を解決するための手段】
【００１１】
以下、上記課題を解決するための手段、およびその作用を記載する。
請求項１に記載の発明は、入力される映像信号に同期して表示装置の水平方向および垂直方向の各スキャナを駆動することにより表示装置の画面に画像の表示を行う表示装置の駆動回路において、前記画面の全体に表示すべき画像を画面の一部の領域のみを用いて表示させるとともに同画面の残りの領域にはブランク表示を行わせる表示モードである部分画面表示モードが指令されることに基づいて前記水平方向および垂直方向のスキャナによるスキャン速度が前記ブランク表示を行うときにのみ選択的に高まるようにこれらスキャン速度を可変とするスキャン速度可変手段を備えることをその要旨とする。
【００１２】
表示装置の駆動回路としてのこのような構成によれば、上記画面の一部の領域に画像を表示する際の水平方向および垂直方向の各スキャナによるスキャン速度に比べて、同画面の残りの領域にブランク表示を行う際の同水平方向および垂直方向の各スキャナによるスキャン速度が選択的に高められるようになる。これにより、ブランク表示に要する期間が短縮され、部分画面表示を行う際のブランク表示および入力映像信号に基づく画像表示を垂直周期中、あるいは水平周期中に収めることが可能となる。すなわち、前述した画像フレームメモリ等を特に必要とすることなく、駆動回路としての駆動信号発生に係る回路の簡易な変更のみで、部分画面表示が的確に実現されるようになる。
【００１３】
なお、このような部分画面表示、すなわち画面の一部の領域のみを用いた画像の表示は通常、請求項２に記載の発明によるように、前記水平方向および垂直方向のスキャナの少なくとも一方に印加するクロックの所定周期毎の間引き処理として行われることとなるが、前述のように、例えば画面垂直方向の端部領域にブランク表示を行う場合、１回の垂直周期に含まれる画像データの水平周期期間は、結局は画像を全画面に表示するときと同じ期間だけ必要となる。その意味でも、部分画面表示を行う際の水平方向および垂直方向の各スキャナによるスキャン速度に比べて、画面の残りの領域にブランク表示を行う際の同水平方向および垂直方向の各スキャナによるスキャン速度を選択的に高める上記構成は有効であり、特にこうした間引き処理との併用によって、所望とされる態様での部分画面表示を高い自由度をもって実現することができるようになる。
【００１４】
請求項３に記載の発明は、これら請求項１または２に記載の表示装置の駆動回路において、前記画面に前記ブランク表示を行うためのデータを生成する手段を更に備え、該生成されたデータを用いて前記ブランク表示を実行することをその要旨とする。
【００１５】
このように、ブランク表示を行うためのデータ、例えば黒表示や白表示等を行うためのデータを生成する手段を特に備えることで、上述したブランク表示も極めて容易に実現することができるようになる。
【００１６】
請求項４に記載の発明は、これら請求項１〜３のいずれかに記載の表示装置の駆動回路において、前記部分画面表示モードが、アスペクト比３対４の画面にアスペクト比９対１６にて前記画像を表示させるように指令する表示モードであり、前記スキャン速度可変手段は、該表示モードの指令に基づき、前記ブランク表示を行うときの前記水平方向および垂直方向のスキャナによるスキャン速度を前記画面の一部の領域に対する画像表示時のスキャン速度の１．５倍とすることをその要旨とする。
【００１７】
アスペクト比３対４の画面に、画像の幅を画面の幅に合わせてアスペクト比９対１６の画像表示を行う場合、画面の垂直方向の約４分の１がブランク表示となる。したがって、仮にスキャン速度一定のまま、こうした表示を行おうとすれば、上記ブランク表示も含めて画面全体に画像表示を行うには、普通に入力された画像信号に基づく画像を画面全体に表示するために必要とされる時間の３分の４倍（約１．３３倍）の時間が必要となる。
【００１８】
一方、前述したＮＴＳＣ方式やＰＡＬ方式の映像信号では、帰線期間を含めた垂直周期全体の約６分の５が、表示すべき画像データの送信期間となっている。すなわち、上述の部分画面表示を垂直周期中に収めるためには、画像表示の期間を全画面表示時の約１．２倍未満とする必要がある。
【００１９】
ここでいま、画面表示すべき画像の送信期間を１Ｔとすると、スキャン速度一定で必要なブランク表示を行うために必要な期間は約Ｔ／３となる。このときのブランク表示を水平方向および垂直方向のスキャン速度を通常の１．５倍で行えば、その表示に必要な期間は約４Ｔ／２７（＝Ｔ／３×２／３×２／３）となり、全表示に必要な期間は通常の約１．１５倍となる。したがって上記の如く、ブランク表示時の水平方向および垂直方向の各スキャン速度を通常の１．５倍とすれば、ブランク表示を含めた画面全体の表示に必要な期間を垂直周期内に的確に収めることができるようになる。
【００２０】
なお、ブランク表示時の水平方向および垂直方向のスキャン速度をこの１．５倍よりも高くしても（例えば２倍としても）、上述の部分画面表示は可能ではある。しかしながら、スキャン速度を高めれば高めるほど回路等の負荷も高くなるため、スキャン速度を必要以上に高くしても動作保証が難しくなり、ひいては表示装置の設計が困難となる。
【００２１】
他方、これら請求項１〜４のいずれかに記載の表示装置の駆動回路は、請求項５に記載の発明によるように、アクティブマトリクス表示方式を採用した液晶表示装置に適用して特に有効である。
【発明の効果】
【００２２】
本発明によれば、全画面を用いて表示すべき映像を画面の一部のみを用いて表示する部分画面表示を、簡易な構成で的確に実現することができる。
【発明を実施するための最良の形態】
【００２３】
以下、本発明に係る表示装置の駆動回路を具体化した一実施の形態を、図１〜図５を参照して詳細に説明する。なおここでも、先の図７に例示したように、アスペクト比３対４の画面に対してアスペクト比９対１６のワイド映像表示（部分画面表示）を実現する駆動回路を例に説明する。
【００２４】
図１は、本実施形態の駆動回路およびその駆動対象となる表示装置についてその構成の概要を示したものである。
同図１に示すように、駆動回路１０は、大きくはタイミングコントローラ１２、映像信号処理回路１４およびブランク表示データ生成回路１６を備えて構成されている。
【００２５】
一方、表示装置２０は、アクティブマトリクス表示方式を採用した液晶表示装置からなり、大きくは画面２２、水平スキャナ２４および垂直スキャナ２６を備えて構成されている。
【００２６】
ここで、駆動回路１０を構成する上記タイミングコントローラ１２は、外部から入力される映像信号の垂直同期信号Ｖｓｙｎｃおよび水平同期信号Ｈｓｙｎｃに基づき、垂直スタート信号ＳＴＶ、垂直クロック信号ＣＫＶ、水平スタート信号ＳＴＨおよび水平クロック信号ＣＫＨを生成する部分である。このうち、垂直スタート信号ＳＴＶおよび垂直クロック信号ＣＫＶは、表示装置２０を構成する上記垂直スキャナ２６に供給され、他方の水平スタート信号ＳＴＨおよび水平クロック信号ＣＫＨは、同じく表示装置２０を構成する上記水平スキャナ２４に供給される。
【００２７】
また、このタイミングコントローラ１２には、同図１に併せて示されるようにスキャン速度可変部１８（スキャン速度可変手段）が設けられている。このスキャン速度可変部１８は、例えばユーザ等、外部からの表示モードの指令に基づいて前述したワイド映像表示時における上記水平スキャナ２４および垂直スキャナ２６のスキャン速度を全画面表示時におけるそれらスキャナ２４および２６のスキャン速度よりも高める機能を有する部分である。すなわちこのスキャン速度可変部１８では、上記垂直スタート信号ＳＴＶおよび水平スタート信号ＳＴＨのタイミングをそれら全画面表示時とワイド映像表示時とで各々対応するタイミングに変更する。また上記垂直クロック信号ＣＫＶおよび水平クロック信号ＣＫＨについても、その周波数を、同じく全画面表示時とワイド画面表示時とで切り換えるように動作する。ちなみに、本実施形態おいては後述するように、全画面表示時のそれら垂直クロック信号ＣＫＶおよび水平クロック信号ＣＫＨの周波数に対してワイド映像表示時の同垂直クロック信号ＣＫＶおよび水平クロック信号ＣＫＨの周波数を１．５倍に設定している。こうした設定によって上述したワイド映像表示時における水平スキャナ２４および垂直スキャナ２６のスキャン速度を高めるようにしている。
【００２８】
また、同じく駆動回路１０において、上記映像信号処理回路１４は、外部から入力される映像信号を所要に処理することによってＲ（赤）Ｇ（緑）Ｂ（青）信号からなる画像データを表示装置２０の上記スキャナ２４に出力する部分である。
【００２９】
そして、同じく駆動回路１０において、上記ブランク表示データ生成回路１６は、上述したワイド映像表示において、表示装置２０の上記画面２２にブランク表示を行うために、例えば黒表示データをブランク表示データとして生成するとともに、該生成したブランク表示データを同表示装置２０の上記水平スキャナ２４に対して出力する部分である。
【００３０】
一方、表示装置２０の画面２２には、上記水平スキャナ２４に接続された５２１本の水平走査信号線ＬＨが画面水平方向に並列に配設されているとともに、上記垂直スキャナ２６に接続された２１８本の垂直走査信号線ＬＶが画面垂直方向に並列に配設されている。なお、これら水平走査信号線ＬＨおよび垂直走査信号線ＬＶの各交点の近傍には、水平方向５２１列×垂直方向２１８行の画素がマトリクス状に配列されている。
【００３１】
ここで、上記水平スキャナ２４は、上述した駆動回路１０から入力される水平スタート信号ＳＴＨによりその駆動が開始される。こうして駆動が開始された水平スキャナ２４は、同じく駆動回路１０から入力される水平クロック信号ＣＫＨに同期して、上記水平走査信号線ＬＨに供給すべき画像データのサンプリングタイミングを決定するとももに、この決定したタイミングにてサンプリングした画像データを上記水平走査信号線ＬＨに対して順次出力する。
【００３２】
他方、上記垂直スキャナ２６は、これも上述した駆動回路１０から入力される垂直スタート信号ＳＴＶによりその駆動が開始される。こうして駆動が開始された垂直スキャナ２６は、同様に上記駆動回路１０から入力される垂直クロック信号ＣＫＶに同期して上記各垂直走査信号線ＬＶを能動とすべく、それら信号線ＬＶに対して順次所定の電圧を印加する。
【００３３】
図２〜図５は、こうした駆動回路１０および表示装置２０の動作態様についてその一例をタイミングチャートとして示したものであり、以下、これら図２〜図５を併せ参照して、これら駆動回路１０および表示装置２０の動作について詳述する。なお、ここでの例では、上記映像信号として、１回の垂直周期が２６２Ｈ（水平周期）からなる前述したＮＴＳＣ方式の映像信号が入力されるものとする。
【００３４】
図２および図３は、全画面表示時において、１回の垂直周期（２６２Ｈ）内に上記駆動回路１０から出力される各信号の出力態様を主に示したものである。
ここではまず、図２に示されるように、上記駆動回路１０において、垂直方向の１周期の動作は、映像信号を処理する映像信号処理回路１４から垂直同期信号Ｖｓｙｎｃがタイミングコントローラに入力されることをトリガとして開始される。なお、この垂直同期信号Ｖｓｙｎｃがタイミングコントローラ１２に入力され、同タイミングコントローラ１２から図２（ｃ）に示す垂直スタート信号ＳＴＶが上記垂直スキャナ２６に出力されるまでの２７Ｈ分の期間は、垂直帰線期間（ブランキング期間）となる。
【００３５】
一方、こうして垂直スタート信号ＳＴＶが入力される垂直スキャナ２４は、第２８Ｈ目にこの垂直スタート信号ＳＴＶが入力された後の２１８Ｈ分の期間にわたり、上述した２１８本の垂直信号線ＬＶを順次能動とする。具体的には上記２１８Ｈ分の期間において、上記タイミングコントローラ１２から印加される垂直クロック信号ＣＫＶ（図２（ｄ））に同期して上述した２１８本の垂直走査信号線ＬＶに対し上記所定の電圧を順次印加する。なお、ＮＴＳＣ方式の映像信号の場合、１回の垂直周期は２６２Ｈから構成されているため、上記２７Ｈ分の垂直帰線期間とこの２１８Ｈ分の画像データの出力期間を加えても、２４５Ｈ分となり１回の垂直周期（２６２Ｈ）の中に収まるようになる。
【００３６】
またこの間、駆動回路１０においては、同じく上記映像信号処理回路１４から図２（ｂ）に示す態様で、水平同期信号Ｈｓｙｎｃがタイミングコントローラ１２に入力される都度、同タイミングコントローラ１２からは図２（ｆ）および（ｇ）に示す態様で水平スタート信号ＳＴＨおよび水平クロック信号ＣＫＨが水平スキャナ２４に対して出力される。図３（ａ）〜（ｃ）は、これら図２（ｂ）、（ｆ）および（ｇ）に示した水平同期信号Ｈｓｙｎｃ、水平スタート信号ＳＴＨおよび水平クロック信号ＣＫＨの時間軸をそれぞれ拡大して示したものである。水平スキャナ２４では、この図３（ａ）〜（ｃ）に示す態様で入力される信号のうち、特に水平スタート信号ＳＴＨが入力される都度、水平クロック信号ＣＫＨに同期して５２１本の水平走査信号線ＬＨにサンプリングした画像データを順次出力するようになることは上述の通りである。その結果、水平周期の１Ｈ毎に、図３（ｄ）に示す態様をもって１行分の画像データが上記画面２２中に表示されるようになる。
【００３７】
図２（ｅ）は、垂直スキャナ２６および水平スキャナ２４のこうした動作を通じて上記画面２２に表示される画像データの様子を示したものであり、この一連の画像データによって、先の図７（ａ）に例示したような１画面分の画像が同画面２２に表示されるようになる。
【００３８】
他方、図４および図５は、同じ画面２２に対して、上述した表示モード指令に基づきアスペクト比９対１６のワイド映像表示を行う場合において、同じく１回の垂直周期（２６２Ｈ）内に上記駆動回路１０から出力される各信号の出力態様を主に示したものである。
【００３９】
ここでもまず、図４（ａ）に示されるように、上記駆動回路１０において、垂直方向の１周期の動作は、映像信号を処理する映像信号処理回路１４から垂直同期信号Ｖｓｙｎｃがタイミングコントローラ１２に入力されることをトリガとして開始される。ただしここでは、図４（ｃ）に示されるように、上記垂直同期信号Ｖｓｙｎｃがタイミングコントローラ１２に入力されてから第４Ｈ目に、同タイミングコントローラ１２から垂直スキャナ２６に垂直スタート信号ＳＴＶが出力される。すなわち、全画面表示時に比べて早い時期に画像表示が開始される。そして駆動回路１０では、タイミングコントローラ１２からこの垂直スタート信号ＳＴＶが出力された直後の１８Ｈ分の期間には、上記ブランク表示データ生成回路１６を通じて生成されるブランク表示データを水平スキャナ２４に対して２７行分だけ送出する。またこのとき、同駆動回路１０は上記スキャン速度可変部１８を起動し、図４（ｄ）に示されるように、タイミングコントローラ１２から出力される垂直クロック信号ＣＫＶの周波数をこの１８Ｈ分の期間だけ１．５倍に高めている。すなわち、この垂直クロック信号ＣＫＶが印加される垂直スキャナ２６も、この１８Ｈ分の期間だけ、そのスキャン速度が１．５倍に高められるようになる。
【００４０】
また、スキャン速度可変部１８を通じたこのような処理は、水平スキャナ２４に対して出力される水平スタート信号ＳＴＨおよび水平クロック信号ＣＫＨについても同様に実行される（図４（ｆ）および（ｇ）参照）。
【００４１】
図５（ａ）〜（ｃ）は、図４（ｂ）に示される水平同期信号Ｈｓｙｎｃも含めて、こうしたブランク表示時の上記水平スタート信号ＳＴＨおよび水平クロック信号ＣＫＨをそれぞれ時間軸を拡大して示したものである。特に図５（ｂ）および（ｃ）に示されるように、これら水平スタート信号ＳＴＨおよび水平クロック信号ＣＫＨの周波数が１．５倍に高められることで、水平スキャナ２４からは、図５（ｄ）に示されるように、水平同期信号Ｈｓｙｎｃの２Ｈ分の期間毎に３行のブランク表示データが上記画面２２中に表示されるようになる。
【００４２】
図４（ｅ）の両端部に示される各２７行の画像データは、垂直スキャナ２６および水平スキャナ２４のこうした動作を通じて上記画面２２に表示されるブランク表示データの様子を示したものであり、これら一連のブランク表示処理により、画面２２には、先の図７（ｂ）に例示した態様で、その上下領域へのブランク表示が実現されるようになる。
【００４３】
また、このワイド映像表示に係る表示モードでは、図４（ｄ）に示すように、画像データの表示領域に対応するその後の２１８Ｈの期間にわたって、上記垂直クロック信号ＣＫＶの間引き処理が行われる。この間引き処理も、表示モードの切り換えに伴い、上記駆動回路１０のタイミングコントローラ１２を通じて自動実行されるものであり、ここでは垂直クロック信号ＣＫＶの４パルス（４ライン）につき１パルス（１ライン）の割合で、こうした間引き処理が行われる。なお本実施形態では、図４（ｆ）に示されるように、こうした垂直クロック信号ＣＫＶの間引き処理に対応するかたちで、水平スタート信号ＳＴＨも同様に間引きされる構成としている。こうした構成を採用することで上記垂直クロック信号ＣＫＶが間引きされている間に垂直走査信号線ＬＶに印加される電圧の論理レベルに拘わらず、画像データ自体も確実に間引きされるようにしている。また、図５（ｅ）および（ｆ）は、図４（ｆ）および（ｇ）に示した水平スタート信号ＳＴＨおよび水平クロック信号ＣＫＨについてのこうした画像データ表示期間に対応する出力態様を上記と同様、時間軸を拡大して示したものである。便宜上、この図５での画像データの間引き態様についての図示は割愛するが、基本的には図５（ａ）に示す水平同期信号Ｈｓｙｎｃに対応して図５（ｇ）に示す態様で１行ずつの画像データが水平スキャナ２４から上記画面２２に送出される。そしてこのとき上述した間引き処理が併せて実行されることで、結局は図４（ｅ）に示されるように、１６４行分の画像データが画面２２に表示されることとなり、上述したブランク表示と併せて、最終的には先の図７（ｂ）に例示した態様でのワイド映像表示（部分画面表示）が実現されるようになる。
【００４４】
なお、本実施形態においては、上記水平スキャナ２４および垂直スキャナ２６によるブランク表示時にのみ選択的にそのスキャン速度を１．５倍としたが、それは以下の理由による。
【００４５】
本実施形態によるように、アスペクト比３対４の画面に、画像の幅を画面の幅に合わせてアスペクト比９対１６の画像表示を行う場合、画面の垂直方向の約４分の１がブランク表示となる。したがって、仮にスキャン速度一定のまま、こうした表示を行おうとすれば、上記ブランク表示も含めて画面全体に画像表示を行うには、普通に入力された画像信号に基づく画像を画面全体に表示するために必要とされる時間の３分の４倍（約１．３３倍）の時間が必要となる。
【００４６】
一方、前述したＮＴＳＣ方式の映像信号では、帰線期間を含めた垂直周期全体の約６分の５が、表示すべき画像データの送信期間となっている。すなわち、上述の部分画面表示を垂直周期中に収めるためには、画像表示の期間を全画面表示時の約１．２倍未満とする必要がある。
【００４７】
ここでいま、画面表示すべき画像の送信期間を１Ｔとすると、スキャン速度一定で必要なブランク表示を行うために必要な期間は約Ｔ／３となる。このときのブランク表示を水平方向および垂直方向のスキャン速度を通常の１．５倍で行えば、その表示に必要な期間は約４Ｔ／２７（＝Ｔ／３×２／３×２／３）となり、全表示に必要な期間は通常の約１．１５倍となる。したがって上記の如く、ブランク表示時の水平方向および垂直方向の各スキャン速度を通常の１．５倍とすれば、ブランク表示を含めた画面全体の表示に必要な期間を垂直周期内に的確に収めることができるようになる。
【００４８】
そして実際に、図４からも明らかなように、この場合、画面垂直方向両端を２７行ずつ合計５４行のブランク表示を行うに際して上端１８Ｈ分および下端１８Ｈ分、合計３６Ｈ分の期間のみで終えることができる。このため、画面２２の中央に１６４行の画像表示を行うために２１８Ｈの期間を要するにしても、これにブランク表示のための３６Ｈ分を加えた合計は２５４Ｈ分となる。したがって、ブランク表示を含めた画像表示を垂直周期（２６２Ｈ）内に収めることができるようになる。
【００４９】
なお、ブランク表示時の水平方向および垂直方向のスキャン速度をこの１．５倍よりも高くしても（例えば２倍としても）、上述の部分画面表示は可能ではある。しかしながら、スキャン速度を高めれば高めるほど回路等の負荷も高くなるため、スキャン速度を必要以上に高くしても動作保証が難しくなり、ひいては表示装置の設計が困難となる。
【００５０】
以上説明したように、本実施形態の表示装置の駆動回路によれば、次のような優れた効果が得られるようになる。
（１）ワイド映像表示（部分画面表示）モードが指令されることに基づいて水平方向および垂直方向のスキャナ２４，２６によるスキャン速度を、ブランク表示を行うときにのみ選択的に高まるように、これらスキャン速度を可変とするスキャン速度可変部１８を備えている。このスキャン速度可変部１８により、画面２２の垂直方向中央に画像を表示する際の水平方向および垂直方向の各スキャナ２４，２６によるスキャン速度に比べて、同画面２２の垂直方向両端にブランク表示を行う際の同水平方向および垂直方向の各スキャナ２４，２６によるスキャン速度が選択的に高められるようになる。これにより、ブランク表示に要する期間が短縮され、ワイド画面表示（部分画面表示）を行う際のブランク表示および入力映像信号に基づく画像表示を垂直周期中、あるいは水平周期中に収めることが可能となる。すなわち、前述した画像フレームメモリ等を特に必要とすることなく、駆動回路としての駆動信号発生に係る回路の簡易な変更のみで、部分画面表示が的確に実現されるようになる。
【００５１】
（２）ワイド映像表示時には、タイミングコントローラ１２により、垂直方向のスキャナ２６に印加する垂直クロック信号ＣＫＶに対して所定周期毎の間引き処理を行うようにしている。１回の垂直周期に含まれる画像データの水平周期期間は、結局は画像を全画面に表示するときと同じ期間だけ必要となる。その意味でも、ワイド映像表示（部分画面表示）を行う際の水平方向および垂直方向の各スキャナ２４，２６によるスキャン速度に比べて、画面２２の残りの領域にブランク表示を行う際の同水平方向および垂直方向の各スキャナ２４，２６によるスキャン速度を選択的に高める上記構成は有効である。特にこうした間引き処理との併用によって、所望とされる態様でのワイド映像表示（部分画面表示）を高い自由度をもって実現することができるようになる。
【００５２】
（３）駆動回路１０は、ブランク表示を行うためのブランク表示データ、例えば黒表示や白表示等を行うためのデータを生成するブランク表示データ生成回路１６を特に備えることで、上述したブランク表示も極めて容易に実現することができる。
【００５３】
（４）スキャン速度可変部１８は、ブランク表示モードとする指令がされたとき、水平方向および垂直方向のスキャナ２４，２６によるスキャン速度を画面２２の中央に対して画像表示を行う際のスキャン速度の１．５倍とする。これにより、ブランク表示を含めた画面全体の表示に必要な期間を垂直周期内に的確に収めることができるようになる。
【００５４】
なお上記実施形態は、以下のように変更して実施することもできる。
・上記実施形態では、外部から入力される映像信号がＮＴＳＣ方式の映像信号であるとしたが、前述したＰＡＬ方式の映像信号についても本発明は同様に適用することができる。これはＰＡＬもＮＴＳＣと同様、帰線期間を含めた垂直周期全体の約６分の５が表示すべき画像データの送信期間となっているためである。
【００５５】
・部分画面表示は上記実施形態のように画面２２の垂直方向両端にブランク表示を行うものに限られない。例えば図６（ａ）に示すように、画面２２の垂直方向下端にのみブランク表示を行うようにしてもよい。または、画面２２の垂直方向上端にのみブランク表示を行うようにしてもよい。あるいは図６（ｂ）に例示するように、画面２２の水平方向両端にブランク表示を行うようにしてもよい。これらはいずれも、上記タイミングコントローラ１２を通じて生成出力する垂直スタート信号ＳＴＶ、垂直クロック信号ＣＫＶ、水平スタート信号ＳＴＨおよび水平クロック信号ＣＫＨの生成態様を変更するのみで容易に実現することができる。
【００５６】
・上記部分画面表示は本実施形態において例示したアスペクト比９対１６に限られるものではない。例えばこれも図６（ａ）に示すように、アスペクト比２７対６４の部分画面表示としてもよい。この場合であれ、ブランク表示を含めた画面全体の表示に必要な期間が垂直周期内に収まるようにスキャン速度を適宜決定すればよい。
【００５７】
・上記画面２２のアスペクト比および部分画面表示時のアスペクト比も、上記本実施形態に例示したのものには限られない。これも例えば図６（ｂ）に示すように、アスペクト９対１６の画面に対して、画面水平方向両端にブランク表示を行うことによりアスペクト比３対４の部分画面表示を行うようにしてもよい。そしてこの場合も、ブランク表示を含めた画面全体の表示に必要な期間が垂直周期内に収まるようにスキャン速度を適宜決定すればよい。
【００５８】
・上記画面の一部の領域のみを用いて画像データを表示する方法としては、上記本実施の形態のように、垂直クロック信号ＣＫＶのみを間引く方法に限られるものではない。例えば画面の水平方向の端部領域にブランク表示を行う場合には、水平クロック信号ＣＫＨの間引きを行うようにすればよい。また画面の垂直方向および水平方向の端部領域にブランク表示を行う場合には、垂直クロック信号ＣＫＶおよび水平クロック信号ＣＫＨの両信号の間引きを行うようにすればよい。
【００５９】
・上記実施形態ではブランク表示データ生成回路１６を通じてブランク表示データを生成、出力する構成としたが、例えば映像信号を操作するなどしてこうしたブランク表示データの生成が可能である場合には、このブランク表示データ生成回路１６を割愛した構成とすることもできる。もっとも上記実施形態では、このブランク表示データ生成回路１６を備えることで上述したブランク表示も極めて容易に、しかも安定して実現される構成となっている。
【００６０】
・本発明に係る駆動回路が駆動対象とする表示装置はアクティブマトリクス表示方式を採用した液晶表示装置には限られない。すなわち、画面に対して水平走査信号線および垂直走査信号線を備える表示装置であればよく、他に例えば、パッシブマトリクス方式の表示装置、あるいはプラズマ表示装置や有機ＥＬ表示装置、ＦＥＤ（フィールド・エミッション・ディスプレイ）等のような液晶以外の表示装置であってもよい。
【図面の簡単な説明】
【００６１】
【図１】本発明の一実施形態に係る駆動回路およびその駆動対象となる表示装置の構成の概要を示す略図。
【図２】（ａ）〜（ｇ）同実施形態の全画面表示時の、１回の垂直周期内に駆動回路から出力される各信号の出力態様を示すタイミングチャート。
【図３】（ａ）〜（ｄ）同実施形態の全画面表示時の、駆動回路から出力される各信号の出力態様を示すタイミングチャート。
【図４】（ａ）〜（ｇ）同実施形態の部分画面表示時の、１回の垂直周期内に駆動回路から出力される各信号の出力態様を示すタイミングチャート。
【図５】（ａ）〜（ｇ）同実施形態の部分画面表示時の、駆動回路から出力される各信号の出力態様を示すタイミングチャート。
【図６】（ａ），（ｂ）本発明に係る部分画面表示における別の表示態様例を示す図。
【図７】（ａ）全画面表示時および（ｂ）ワイド映像表示時の表示態様を示す図。
【図８】（ａ）〜（ｃ）従来の全画面表示時および部分画面表示時の動作態様を示すタイミングチャート。
【符号の説明】
【００６２】
１０…駆動回路、１２…タイミングコントローラ、１４…映像信号処理装置、１６…ブランク表示データ生成回路、１８…スキャン速度可変部、２０…表示装置、２２…画面、２４…水平スキャナ、２６…垂直スキャナ。
【図１】
2006154224.tif 000003
【図２】
2006154224.tif 000004
【図３】
2006154224.tif 000005
【図４】
2006154224.tif 000006
【図５】
2006154224.tif 000007
【図６】
2006154224.tif 000008
【図７】
2006154224.tif 000009
【図８】
2006154224.tif 000010